(57)【要約】【課題】ガイド部材から潤滑剤が垂れ落ちて、装置を汚してしまうのを抑制することができる。【解決手段】定着ベルト２１の幅方向両端部の内周面と接触し、定着ベルト２１の回転をガイドするフランジ部材４５１などのガイド部材よりも定着ベルト２１の幅方向の内側に、定着ベルト２１の内周面に付着した潤滑剤の幅方向の外側への移動を規制する規制部材２８を設けている。これにより、定着ベルト２１に付着した潤滑剤がガイド部材に付着するのを抑制することができ、ガイド部材から潤滑剤が垂れ落ちて、装置を汚してしまうのを抑制することができる。【選択図】図１１
2017111333.tif 000002
【特許請求の範囲】
【請求項１】
回転可能な無端状の定着ベルトと、
前記定着ベルトの外周面と当接する加圧部材と、
前記定着ベルトの内周側に配置され前記定着ベルトを介して前記加圧部材と当接しニップ部を形成するニップ形成部材と、
前記定着ベルトの内周面に接触するように前記ニップ形成部材の表面に設けられ、潤滑剤が含浸された潤滑剤含浸部材と、
前記定着ベルトの幅方向両端部の内周面と接触し、前記定着ベルトの回転をガイドする一対のガイド部材とを備えた定着装置において、
各ガイド部材よりも前記定着ベルトの幅方向の内側に、前記定着ベルトの内周面に付着した潤滑剤の前記幅方向の外側への移動を規制する規制部材を設けたことを特徴とする定着装置。
【請求項２】
請求項１に記載の定着装置において、
前記規制部材を、前記ニップ形成部材に対し、前記定着ベルトの回転方向上流側から隣接するように配置したことを特徴とする定着装置。
【請求項３】
請求項２に記載の定着装置において、
前記規制部材よりも前記幅方向の内側に、前記定着ベルトに付着した潤滑剤を吸収して保持する潤滑剤保持部材を設けたことを特徴とする定着装置。
【請求項４】
請求項３に記載の定着装置において、
前記潤滑剤保持部材は、前記潤滑剤含浸部材よりも潤滑剤の吸収性が高い素材で構成されていることを特徴とする定着装置。
【請求項５】
請求項１至４いずれかに記載の定着装置において、
前記規制部材は、前記定着ベルト内周面に付着した潤滑剤を、前記潤滑剤含浸部材の前記幅方向の端部よりも内側に戻す戻し部を有することを特徴とする定着装置。
【請求項６】
請求項５に記載の定着装置においては、
前記戻し部は、前記規制部材の前記幅方向の内側端部から前記幅方向の外側に向うにつれて、前記定着ベルトの回転方向上流側に位置するように傾斜する傾斜面であることを特徴とする定着装置。
【請求項７】
請求項５または６に記載の定着装置において、
前記戻し部の前記幅方向の外側端部が、前記潤滑剤含浸部材の前記幅方向の端部よりも外側に位置することを特徴とする定着装置。
【請求項８】
請求項５乃至７いずれかに記載の定着装置において、
前記規制部材の前記幅方向の内側端部が、前記潤滑剤含浸部材の前記幅方向の端部よりも内側に位置することを特徴とする定着装置。
【請求項９】
請求項１乃至８いずれかに記載の定着装置において、
前記ニップ部を通過し得る記録材のうち、前記幅方向の長さが最大の記録材が前記ニップ部を通過する前記幅方向の領域よりも前記幅方向の外側に、前記規制部材を設けたことを特徴とする定着装置。
【請求項１０】
請求項１乃至９いずれかに記載の定着装置において、
前記規制部材を弾性部材で構成したことを特徴とする定着装置。
【請求項１１】
像担持体と、
像担持体上にトナー像を形成するトナー像形成手段と、
前記トナー像を前記像担持体上から記録材上に転写する転写手段と、
前記記録材上に転写されたトナー像を該記録材に定着させる定着手段とを備えた画像形成装置において、
前記定着手段として、請求項１乃至１０いずれかに記載の定着装置を用いることを特徴とする画像形成装置。
【発明の詳細な説明】
【技術分野】
【０００１】
本発明は、定着装置および画像形成装置に関するものである。
【背景技術】
【０００２】
特許文献１には、この種の定着装置であって、上記ニップ形成部材の定着ベルトとの接触部分にシリコーンオイルなどの潤滑剤を含浸する潤滑剤含浸部材たる摺動シートを貼り付けた定着装置が記載されている。
【０００３】
ニップ形成部材に貼り付けられた上記摺動シートに含浸された潤滑剤が定着ベルトの内周面に付着し、摺動シートと定着ベルトとの間に潤滑剤が介在することになる。これにより、摺動シートと定着ベルトとの摩擦力が、潤滑剤の潤滑効果により低減することができ、定着ベルトを円滑に回転させることができると記載されている。
【０００４】
摺動シートから定着ベルトの内周面に付着した潤滑剤は、定着ベルトの移動にともなって一周し、ニップ形成部材の定着ベルトの回転方向上流側端部に堰き止められる。堰き止められた潤滑剤はベルト幅方向へと移動し、この潤滑剤の一部が定着ベルトの端部から外部へ漏れ出してしまうという問題があると記載されている。
【０００５】
このような問題を防止するために、特許文献１では、ニップ形成部材に対して定着ベルトの回転方向上流側に、定着ベルトに付着した潤滑剤を回収し、回収した潤滑剤をベルト幅方向中央部へ寄るように定着ベルトに再付着させる潤滑剤循環部材を設けている。
【０００６】
具体的には、潤滑剤循環部材は、潤滑剤保持性を有しており、複数の溝が形成されている。これらの溝は、定着ベルトの回転方向下流側が、上流側よりも定着ベルトの幅方向中央に位置するように傾斜している。この溝に滲み出して定着ベルトの表面に付着した潤滑剤循環部材の潤滑剤は、溝に案内されながら、ベルト幅方向中央部へと移動する。その結果、ベルト内周面に付着した潤滑剤がベルト幅方向中央部へと寄せられる。
【０００７】
このように、潤滑剤循環部材によりベルト幅方向中央に潤滑剤を寄せることにより、定着ベルトの幅方向端部から潤滑剤が漏れ出すのを防止することができると記載されている。
【発明の概要】
【発明が解決しようとする課題】
【０００８】
通常、定着ベルトの幅方向両端部の内周面と接触して、定着ベルトの回転をガイドするガイド部材たるフランジが設けられている。この定着ベルトのフランジとの接触領域まで定着ベルトの内周面に付着した潤滑剤が、移動すると、フランジに潤滑剤が付着し、潤滑剤がフランジから垂れ落ちて、装置を汚してしまうなどの不具合が発生する。
【０００９】
しかし、上記特許文献１は、定着ベルトに付着した潤滑剤が定着ベルトの端部まで移動しないように上述した工夫がなされているが、定着ベルト端部よりも内側のフランジへの付着については、特に考慮されておらず、フランジに潤滑剤が付着するおそれがあった。
【課題を解決するための手段】
【００１０】
上記課題を解決するために、本発明は、回転可能な無端状の定着ベルトと、前記定着ベルトの外周面と当接する加圧部材と、前記定着ベルトの内周側に配置され前記定着ベルトを介して前記加圧部材と当接しニップ部を形成するニップ形成部材と、前記定着ベルトの内周面に接触するように前記ニップ形成部材の表面に設けられ、潤滑剤が含浸された潤滑剤含浸部材と、前記定着ベルトの幅方向両端部の内周面と接触し、前記定着ベルトの回転をガイドするガイド部材とを備えた定着装置において、前記ガイド部材よりも前記定着ベルトの幅方向の内側に、前記定着ベルトに付着した潤滑剤の前記幅方向の外側への移動を規制する規制部材を設けたことを特徴とするものである。
【発明の効果】
【００１１】
本発明によれば、ガイド部材から潤滑剤が垂れ落ちて、装置を汚してしまうのを抑制することができる。
【図面の簡単な説明】
【００１２】
【図１】実施形態に係る画像形成装置の概略構成図。
【図２】金属熱伝導体を介して定着ベルトを間接的に加熱する従来の定着装置の一例を示す図。
【図３】実施形態に係る定着装置の一例を示した概略構成図。
【図４】（ａ）は、フランジ部材の斜視図であり、（ｂ）は、フランジ部材の正面図。
【図５】遮蔽部材の平面図。
【図６】各ハロゲンヒータの発熱部を示す図。
【図７】小サイズの用紙を通紙するときの定着装置の斜視図。
【図８】小サイズの用紙を通紙するときの定着装置の断面図。
【図９】大サイズの用紙を通紙するときの定着装置の斜視図。
【図１０】大サイズの用紙を通紙するときの定着装置の断面図。
【図１１】ニップ形成部材周辺を加圧ローラ側から見た概略図。
【図１２】図１１の破線Ｄで囲う部分の拡大断面図。
【図１３】変形例の定着装置におけるニップ形成部材周辺を加圧ローラ側から見た概略図。
【図１４】図１３の破線Ｄで囲う部分の拡大断面図。
【発明を実施するための形態】
【００１３】
図１は、本実施形態に係る画像形成装置１００の概略構成図である。
図１に示す画像形成装置１００は、タンデム方式のカラーレーザープリンタであり、その装置本体の中央部に、複数の色画像を形成する作像部（図示の例では４つの作像部）からなる画像ステーションが設けられている。
【００１４】
複数の作像部は、無端ベルト状の中間転写体としての中間転写ベルト１１の展張方向に沿って並置されている。そして、カラー画像の色分解成分に対応するイエロー（Ｙ）、マゼンタ（Ｍ）、シアン（Ｃ）、ブラック（Ｂｋ）の異なる色の現像剤を収容している以外は同様の構成となっている。
【００１５】
図１において、画像形成装置１００は、イエロー、シアン、マゼンタ、ブラックの各色に色分解された色にそれぞれ対応する複数の像担持体としての感光体ドラム１２０Ｙ，１２０Ｃ，１２０Ｍ，１２０Ｂｋが並設されている。
【００１６】
各感光体ドラム１２０Ｙ，１２０Ｃ，１２０Ｍ，１２０Ｂｋに形成された各色の可視像であるトナー像は、各感光体ドラム１２０Ｙ，１２０Ｃ，１２０Ｍ，１２０Ｂｋに対峙しながら矢印Ａ１方向に移動可能な中間転写ベルト１１に対して一次転写工程が実行される。これにより、各色のトナー像が中間転写ベルト１１に重畳転写される。その後、中間転写ベルト１１に重畳転写された各色のトナー像は、記録材としての用紙Ｐに対して二次転写工程が実行されることにより、用紙Ｐに一括転写される。
【００１７】
各感光体ドラム１２０Ｙ，１２０Ｃ，１２０Ｍ，１２０Ｂｋの周囲には、感光体ドラム１２０の回転に従い画像形成処理するための各種装置が配置されている。
【００１８】
ここで、ブラックの画像形成を行う感光体ドラム１２０Ｂｋを対象として説明する。感光体ドラム１２０Ｂｋの周囲には、その感光体ドラム１２０Ｂｋの回転方向に沿って画像形成処理を行う、帯電装置３０Ｂｋ、現像装置４０Ｂｋ、一次転写手段としての一次転写ローラ１１２Ｂｋ、及び、クリーニング装置５０Ｂｋが配置されている。帯電後の感光体ドラム１２０Ｂｋに対して行われる静電潜像の書き込みには、感光体ドラム１２０Ｂｋの表面を露光する露光手段としての光書込装置６が用いられる。
【００１９】
光書込装置６は、光源としての半導体レーザー、カップリングレンズ、ｆθレンズ、トロイダルレンズ、折り返しミラー、光偏向手段としての回転多面鏡（ポリゴンミラー）などを備えている。光書込装置６は、画像データに基づいて、各感光体ドラム１２０Ｙ，１２０Ｃ，１２０Ｍ，１２０Ｂｋの表面へ書き込み光（レーザー光）Ｌｂを照射し、感光体ドラム１２０Ｙ，１２０Ｃ，１２０Ｍ，１２０Ｂｋに静電潜像を形成するように構成されている。
【００２０】
中間転写ベルト１１に対する重畳転写は、中間転写ベルト１１が図中Ａ１方向に移動する際に、感光体ドラム１２０Ｙ，１２０Ｃ，１２０Ｍ，１２０Ｂｋに形成された可視像（トナー像）が中間転写ベルト１１の同じ位置に重ねて転写されるように行われる。
【００２１】
より具体的には、中間転写ベルト１１を挟んで各感光体ドラム１２０Ｙ，１２０Ｃ，１２０Ｍ，１２０Ｂｋに対向して配設された複数の一次転写ローラ１１２Ｙ，１１２Ｃ，１１２Ｍ，１１２Ｂｋそれぞれに一次転写バイアスが印加される。この一次転写バイアスが印加された一次転写ローラ１１２Ｙ，１１２Ｃ，１１２Ｍ，１１２Ｂｋにより、各感光体ドラム１２０Ｙ，１２０Ｃ，１２０Ｍ，１２０Ｂｋに形成されたトナー像が、中間転写ベルト回転方向でタイミングをずらして重畳転写される。
【００２２】
複数の一次転写ローラ１１２Ｙ，１１２Ｃ，１１２Ｍ，１１２Ｂｋはそれぞれ対応する感光体ドラム１２０Ｙ，１２０Ｃ，１２０Ｍ，１２０Ｂｋとの間で中間転写ベルト１１を挟み込んで一次転写ニップを形成している。また、各一次転写ローラ１１２Ｙ，１１２Ｃ，１１２Ｍ，１１２Ｂｋには、電源が接続されている。そして、この電源により所定の直流電圧（ＤＣ）と交流電圧（ＡＣ）との少なくとも一方からなる一次転写バイアスが、各一次転写ローラ１１２Ｙ，１１２Ｃ，１１２Ｍ，１１２Ｂｋに印加されるようになっている。
【００２３】
各感光体ドラム１２０Ｙ，１２０Ｃ，１２０Ｍ，１２０Ｂｋは、図中Ａ１方向の上流側からこの順で並んでいる。各感光体ドラム１２０Ｙ，１２０Ｃ，１２０Ｍ，１２０Ｂｋは、イエロー、シアン、マゼンタ、ブラックの画像をそれぞれ形成する前記複数の作像部に設けられている。
【００２４】
また、画像形成装置１００は、前記複数の作像部のほか、転写ベルトユニット１０と、二次転写ローラ５と、転写ベルトクリーニング装置１１３と、光書込装置６とを備えている。
【００２５】
転写ベルトユニット１０は、中間転写ベルト１１及び複数の一次転写ローラ１１２Ｙ，１１２Ｃ，１１２Ｍ，１１２Ｂｋのほか、中間転写ベルト１１が掛け回されている駆動ローラ７２や従動ローラ７３等の複数のベルト支持部材を備えている。駆動ローラ７２が回転駆動されることにより、中間転写ベルト１１は図中矢印Ａ１で示す方向に回転するようになっている。
【００２６】
駆動ローラ７２は、中間転写ベルト１１を介して二次転写ローラ５に対向する二次転写バックアップローラとしても機能する。従動ローラ７３は、中間転写ベルト１１を介して転写ベルトクリーニング装置１１３に対向するクリーニングバックアップローラとしても機能する。また、従動ローラ７３は、中間転写ベルト１１に対する張力付勢手段としての機能も備えているため、従動ローラ７３には、バネなどを用いた付勢手段が設けられている。これらの転写ベルトユニット１０と一次転写ローラ１１２Ｙ，１１２Ｃ，１１２Ｍ，１１２Ｂｋと二次転写ローラ５と転写ベルトクリーニング装置１１３とを有するように、転写装置７１が構成されている。
【００２７】
二次転写ローラ５は、中間転写ベルト１１に対向して配設され、中間転写ベルト１１に従動して連れ回りする。また、二次転写ローラ５は、二次転写バックアップローラとしても機能する駆動ローラ７２との間で中間転写ベルト１１を挟み込んで二次転写ニップを形成している。
【００２８】
また、一次転写ローラ１１２Ｙ，１１２Ｃ，１１２Ｍ，１１２Ｂｋと同様に、二次転写ローラ５にも電源が接続されており、所定の直流電圧（ＤＣ）と交流電圧（ＡＣ）との少なくとも一方からなる二次転写バイアスが、二次転写ローラ５に印加される。
【００２９】
転写ベルトクリーニング装置１１３は、中間転写ベルト１１を介して従動ローラ７３に対向するように配設され、中間転写ベルト１１の表面をクリーニングする。図示の例では、転写ベルトクリーニング装置１１３は、中間転写ベルト１１に当接するように配設されたクリーニングブラシとクリーニングブレードとを有する。また、転写ベルトクリーニング装置１１３から伸びた廃トナー移送ホースは、廃トナー収容器の入口部に接続されている。
【００３０】
さらに、画像形成装置１００には、記録材としての用紙Ｐが積載収容された用紙給送装置６１と、記録材繰り出し手段としてのレジストローラ対４と、記録材先端検知手段としての用紙先端センサとが設けられている。
【００３１】
用紙給送装置６１は、画像形成装置１００の本体下部に配設され、最上位の用紙Ｐの上面に当接する記録材給送手段としての給送ローラ３を有している。そして、給送ローラ３が図中反時計回り方向に回転駆動されることにより、最上位の用紙Ｐをレジストローラ対４に向けて給送するようになっている。
【００３２】
また、画像形成装置本体内には、用紙Ｐを用紙給送装置６１から二次転写ニップを通過させて装置外へ排出するための用紙搬送路が配設されている。この用紙搬送路の二次転写ローラ５の位置よりも用紙搬送方向上流側に、二次転写ニップへ用紙Ｐを繰り出すように搬送するレジストローラ対４が配設されている。
【００３３】
レジストローラ対４は、用紙給送装置６１から搬送されてきた用紙Ｐを、上記複数の作像部からなる画像ステーションによるトナー像の形成タイミングに合わせた所定のタイミングで、二次転写ローラ５と中間転写ベルト１１との間の二次転写ニップに向けて繰り出す。なお、前記用紙先端センサは、用紙Ｐの先端がレジストローラ対４に到達したことを検知する。
【００３４】
ここで、記録材としての用紙Ｐには、普通紙以外に、厚紙、はがき、封筒、薄紙、塗工紙（コート紙やアート紙等）、トレーシングペーパ、ＯＨＰシート、記録シート等が含まれる。また、用紙給送装置６１のほかに、手差しで用紙Ｐを供給できるように手差し給紙機構を備えてもよい。
【００３５】
また、画像形成装置１００は、トナー像が転写された用紙Ｐにトナー像を定着させるための定着手段としての定着装置２０と、記録材排出手段としての排紙ローラ対７と、記録材積載手段としての排紙トレイ１７とを備えている。排紙ローラ対７は、定着済みの用紙Ｐを画像形成装置１００の本体外部に排出する。排紙トレイ１７は、画像形成装置１００の本体上部に配設され、排紙ローラ対７により画像形成装置１００の本体外部に排出された用紙Ｐを積載収容する。
【００３６】
また、画像形成装置１００には、複数のトナー容器としてのトナーボトル９Ｙ，９Ｃ，９Ｍ，９Ｂｋを備えている。複数のトナーボトル９Ｙ，９Ｃ，９Ｍ，９Ｂｋはそれぞれ、イエロー、シアン、マゼンタ、ブラックの各色のトナーが充填され、画像形成装置本体の上部であって排紙トレイ１７の下側に設けられた複数のボトル収容部それぞれに着脱可能に装着されている。
【００３７】
また、各トナーボトル９Ｙ，９Ｃ，９Ｍ，９Ｂｋと各現像装置４０Ｙ，４０Ｃ，４０Ｍ，４０Ｂｋとの間には、補給路が設けてある。そして、この補給路を介して各トナーボトル９Ｙ，９Ｃ，９Ｍ，９Ｂｋから対応する現像装置４０Ｙ，４０Ｃ，４０Ｍ，４０Ｂｋに、トナーが補給されるようになっている。
【００３８】
転写装置７１に装備されている転写ベルトクリーニング装置１１３は、詳細な図示を省略するが、中間転写ベルト１１に当接するように配設されたクリーニングブラシとクリーニングブレードとを有している。
【００３９】
このクリーニングブラシとクリーニングブレードとにより、中間転写ベルト１１上の残留トナー等の異物が掻き取り除去されて、中間転写ベルト１１がクリーニングされる。なお、転写ベルトクリーニング装置１１３は、中間転写ベルト１１から除去した残留トナーを搬出し廃棄するための排出手段を有している。
【００４０】
次に、画像形成装置１００の基本的動作について説明する。
画像形成装置１００において作像動作が開始されると、各作像部における各感光体ドラム１２０Ｙ，１２０Ｃ，１２０Ｍ，１２０Ｂｋが、駆動装置によって図中時計回りに回転駆動される。そして、各感光体ドラム１２０Ｙ，１２０Ｃ，１２０Ｍ，１２０Ｂｋの表面が、帯電装置３０Ｙ，３０Ｃ，３０Ｍ，３０Ｂｋによって所定の極性に一様に帯電される。
【００４１】
帯電された各感光体ドラム１２０Ｙ，１２０Ｃ，１２０Ｍ，１２０Ｂｋの表面には、光書込装置６からレーザー光がそれぞれ照射されて、各感光体ドラム１２０Ｙ，１２０Ｃ，１２０Ｍ，１２０Ｂｋの表面に静電潜像が形成される。このとき、各感光体ドラム１２０Ｙ，１２０Ｃ，１２０Ｍ，１２０Ｂｋに露光する画像情報は所望のフルカラー画像をイエロー、マゼンタ、シアン及びブラックの色情報に分解した単色の画像情報である。
【００４２】
このように各感光体ドラム１２０Ｙ，１２０Ｃ，１２０Ｍ，１２０Ｂｋ上に形成された静電潜像に、各現像装置４０Ｙ，４０Ｃ，４０Ｍ，４０Ｂｋによってトナーが供給されることにより、静電潜像はトナー画像として顕像化（可視像化）される。
【００４３】
また、作像動作が開始されると、駆動ローラ７２が図１中反時計回りに回転駆動し、中間転写ベルト１１を図中矢印Ａ１方向に回転させる。そして、各一次転写ローラ１１２Ｙ，１１２Ｃ，１１２Ｍ，１１２Ｂｋに、トナーの帯電極性とは逆極性の定電圧または定電流制御された電圧が印加される。これにより、各一次転写ローラ１１２Ｙ，１１２Ｃ，１１２Ｍ，１１２Ｂｋと各感光体ドラム１２０Ｙ，１２０Ｃ，１２０Ｍ，１２０Ｂｋとの間の一次転写ニップにおいて、所定の転写電界が形成される。
【００４４】
その後、一次転写ニップにおいて形成された転写電界により、各感光体ドラム１２０Ｙ，１２０Ｃ，１２０Ｍ，１２０Ｂｋ上のトナー画像が中間転写ベルト１１上に順次重ね合わせて転写され、中間転写ベルト１１の表面にフルカラーのトナー画像が担持される。
【００４５】
また、中間転写ベルト１１に転写しきれなかった各感光体ドラム１２０Ｙ，１２０Ｃ，１２０Ｍ，１２０Ｂｋ上のトナーは、クリーニング装置５０Ｙ，５０Ｃ，５０Ｍ，５０Ｂｋによって除去される。その後、除電装置によって各感光体ドラム１２０Ｙ，１２０Ｃ，１２０Ｍ，１２０Ｂｋの表面が除電され、表面電位が初期化される。
【００４６】
画像形成装置１００の下部では、給送ローラ３が回転駆動を開始し、用紙給送装置６１から用紙Ｐが搬送路に送り出される。搬送路に送り出された用紙Ｐは、レジストローラ対４によってタイミングをはかられて、二次転写バックアップローラとしても機能する駆動ローラ７２と二次転写ローラ５との間の二次転写ニップに送られる。このとき、二次転写ローラ５には、中間転写ベルト１１上のトナー画像のトナー帯電極性とは逆極性の転写電圧が印加されており、二次転写ニップに所定の転写電界が形成されている。
【００４７】
その後、中間転写ベルト１１の回転に伴って、中間転写ベルト１１上のトナー画像が二次転写ニップに達したときに、二次転写ニップにおいて形成された転写電界により、中間転写ベルト１１上のトナー画像が用紙Ｐ上に一括して転写される。
【００４８】
また、このとき用紙Ｐに転写しきれなかった中間転写ベルト１１上の残留トナーは、転写ベルトクリーニング装置１１３によって除去され、除去されたトナーは廃トナー収容器へと搬送され回収される。
【００４９】
その後、用紙Ｐは定着装置２０へと搬送され、定着装置２０によって用紙Ｐ上のトナー画像が当該用紙Ｐに定着される。そして、用紙Ｐは、排紙ローラ対７によって装置外へ排出され、排紙トレイ１７上にストックされる。
【００５０】
なお、以上の説明は、用紙Ｐ上にフルカラー画像を形成するときの画像形成動作であるが、４つの作像部のいずれか１つを使用して単色画像を形成したり、２つまたは３つの作像部を使用して、２色または３色の画像を形成したりすることも可能である。
【００５１】
また、図１に示した画像形成装置は、複数の色画像を形成する作像部がベルトの展張方向に沿って並置されたタンデム方式を用いるカラープリンタあるが、この方式に限るものではない。また、プリンタだけではなく、複写機やファクシミリなどを対象とすることも可能である。
【００５２】
ここで、周知のように、電子写真方式による画像形成装置は、次の工程を経て複写画像を出力する。つまり、潜像担持体である感光体上に形成された静電潜像がトナーにより可視像処理され、トナー像が用紙などの記録材に転写されたうえで定着されることにより複写画像が出力される。
【００５３】
画像形成装置に用いられる定着方式には、熱ローラ定着方式、ベルト定着方式、フィルム定着方式および電磁誘導加熱定着方式などがある。
【００５４】
熱定着ローラ方式には、用紙の搬送路を挟んで対向しながら当接する定着ローラ及び加圧ローラが用いられる。この方式では、定着ローラ内に設けられている熱源からの熱と加圧ローラからの加圧力に相当する圧力との作用によってトナー像が用紙に融解浸透される。用紙に対してトナー像が融解浸透される現象は以下の構成を備えた定着方式においても同じである。
【００５５】
ベルト定着方式には、定着ローラに代えて熱良導体となる定着ベルトと加圧ローラおよびベルトを捲装されるローラそしてベルトに対する加熱源が用いられる（例えば、特許文献２）。
【００５６】
フィルム定着方式には、定着ローラに代えて熱良導体となる定着ベルトと加圧ローラおよびベルトを捲装されるローラそしてベルトに対する加熱源が用いられる（例えば、特許文献３）。
【００５７】
電磁誘導加熱定着方式には、発熱効率を高める電磁誘導コイルを加熱部材に設ける構成が用いられる（例えば、特許文献２）。
【００５８】
定着方式には、次に挙げる要求課題がある。
ウォームアップ時間を短縮すること、さらには、ファーストプリント時間を短縮することである。なお、ウォームアップ時間とは、電源投入時など、常温状態から印刷可能な所定温度（リロード温度）までに要する時間のことである。また、ファーストプリント時間とは、印刷要求を受けた後、印刷準備を経て印字動作を行い排紙が完了するまでに必要な時間のことである。
【００５９】
定着装置では、次の理由により定着不良が発生することがある。
画像形成装置は、高速処理が行える装置である。高速処理により単位時間あたりの定着枚数、つまり、定着装置を通過する通紙枚数が増加すると、高速移動する用紙への供給熱量も増加させなければならない。これは、用紙が定着装置を通過する時間が短くなるのに合わせて定着に必要な熱量を用紙に与えるためである。
【００６０】
しかし、連続印刷のはじめに必要な熱量の確保ができていないと温度の落ち込みが大きく、高速化された連続印刷時に必要な熱量に達しないままで通紙されると定着不良を発生する虞がある。
【００６１】
また、画像形成装置の高速化に伴い、単位時間あたりの通紙枚数が増え、必要熱量が増大しているため、特に連続印刷のはじめに熱量が不足する、いわゆる温度落ち込みが問題となることがあり、高速化した場合の定着不良を起こす問題がある。
【００６２】
一方、上記に挙げた定着方式とは別に、セラミックヒータを用いたサーフ定着方式と称される定着方式がある。
【００６３】
サーフ定着方式は、ニップ部のみを局所加熱され、その他の部分では加熱されない構成が用いられる。この定着方式では、ベルト方式の定着装置に比べ、低熱容量化や小型化が可能となるため、所定温度への立ち上がりやファーストプリント時間の短縮が可能となる反面、次の問題がある。
【００６４】
つまり、サーフ定着方式は、局所以外の部分では加熱されていないので、ニップの用紙などの入口において定着ベルトは最も冷えた状態にあり、定着不良が発生しやすくなるという問題がある。特に、高速機においては、定着ベルトの回転が速く、ニップ部以外でのベルトの放熱が多くなるため、より定着不良が発生しやすくなるという問題がある。
【００６５】
そこで、このような問題に対処するため、定着ベルトを用いる構成において、高生産の画像形成装置に搭載されても、良好な定着性を得ることができるようにした定着装置が提案されている（例えば、特許文献４）。
【００６６】
特許文献４に開示された定着装置では、図２に示す構成が用いられている。定着ベルト２１、定着ベルト２１の内部に配設されたパイプ状の金属熱伝導体２００、金属熱伝導体２００内に配設された熱源３００、及び、定着ベルト２１を介して金属熱伝導体２００に当接して定着ニップ部Ｎを形成する加圧ローラ４００を備えている。
【００６７】
加圧ローラ４００の回転により定着ベルト２１は連れ回りし、このとき、金属熱伝導体２００は定着ベルト２１の移動をガイドする。また、金属熱伝導体２００内の熱源３００により金属熱伝導体２００を介して定着ベルト２１が加熱されることで、定着ベルト２１全体を温めることを可能にしている。これにより、加熱待機時からのファーストプリントタイムを短縮することができ、かつ高速回転時の熱量不足を解消することが可能となっている。
【００６８】
しかし、さらなる省エネ性及びファーストプリントタイム向上のためには、熱効率をより一層向上させる必要がある。
【００６９】
そこで、定着ベルトを、金属熱伝導体（図２において符号２００で示す部材）を介して間接的に加熱するのではなく、定着ベルトを直接加熱する構成を採用する。これにより、消費電力の低減を図ることができると共に、加熱待機時からのファーストプリントタイムをさらに短縮することができる。また、金属熱伝導体を設けないことによるコストダウンも期待できる。
【００７０】
図３は、本実施形態に係る定着装置２０の一例を示した概略構成図である。
定着装置２０は、内部が中空な表面無端移動体である定着部材としての定着ベルト２１と、定着ベルト２１に対向して回転可能に設けられた加圧部材としての加圧ローラ２２とを備えている。
【００７１】
定着ベルト２１の内側には、定着ベルト２１を加熱する熱源としての加熱装置２３と、定着ベルト２１を介して対向する加圧ローラ２２と定着ニップ部Ｎを形成するニップ形成部材２４とが設けられている。さらに、定着ベルト２１の内側には、ニップ形成部材２４を支持する支持部材としてのステー２５と、加熱装置２３が備えるふたつのハロゲンヒータ２３Ａ，２３Ｂから放射される光を定着ベルト２１へ反射する反射部材２６とが設けられている。
【００７２】
また、定着ベルト２１の幅方向両端部には、それぞれガイド部材としてのフランジ部材４５１（図４参照）のガイド部４５１ａが挿入されており、定着ベルト２１はガイド部４５１ａによってガイドされつつ回転可能に保持されている。また、定着ベルト２１の内側には、遮光部材２９が設けられており、遮光部材２９は、図中矢印Ａに示すように定着ベルト２１の内周面に沿って、定着ベルト２１と非接触で移動するように構成されている。
【００７３】
定着ベルト２１は、薄肉で可撓性を有する無端状のベルト部材（フィルムも含む）が用いられる。
定着ベルト２１は、ニッケルもしくはステンレス鋼（ＳＵＳ）等の金属材料またはポリイミド（ＰＩ）などの樹脂材料で形成された内周側の基材を有している。また、テトラフルオロエチレン−パーフルオロアルキルビニルエーテル共重合体（ＰＦＡ）またはポリテトラフルオロエチレン（ＰＴＦＥ）などで形成された外周側の離型層を備えている。
【００７４】
また、基材と離型層との間に、シリコーンゴム、発泡性シリコーンゴム、又はフッ素ゴム等のゴム材料で形成された弾性層を介在させてもよい。弾性層がない場合は熱容量が小さくなり、定着性が向上するが、未定着画像を押しつぶして定着するときにベルト表面の微妙な凹凸が画像に転写されて画像のベタ部にユズ肌状の跡が残るという不具合が生じる。これを改善するにはシリコーンゴム等の弾性層を１００μｍ以上設けることが好ましい。弾性層の変形により、微妙な凹凸が吸収されユズ肌画像が改善する。
【００７５】
加圧ローラ２２は、芯金２２ａ、弾性層２２ｂ及び離型層２２ｃによって構成されている。なお、弾性層２２ｂは芯金２２ａの表面に配置されており、発泡性シリコーンゴム、シリコーンゴム、またはフッ素ゴム等が用いられる。また、離型層２２ｃは弾性層２２ｂの表面に設けられ、ＰＦＡまたはＰＴＦＥ等が用いられる。
【００７６】
加圧ローラ２２は、スプリングなどの加圧手段によって定着ベルト２１側に向けて加圧されることにより、定着ベルト２１を介してニップ形成部材２４に当接している。この加圧ローラ２２と定着ベルト２１とが圧接する箇所では、加圧ローラ２２の弾性層２２ｂが押しつぶされることで、所定の幅の定着ニップ部Ｎが形成されている。
【００７７】
加圧ローラ２２は、プリンタ本体に設けられているモータ等の駆動源からギヤを介して駆動力が伝達され回転駆動する。加圧ローラ２２が回転駆動されると、その駆動力が定着ニップ部Ｎで定着ベルト２１に伝達され、定着ベルト２１が従動回転するようになっている。
【００７８】
本実施形態では、加圧ローラ２２を中実のローラとしているが、中空のローラであってもよい。その場合、加圧ローラ２２の内部にハロゲンヒータ等の加熱源を配設してもよい。また、弾性層が無い場合は、熱容量が小さくなり定着性が向上する。また、弾性層２２ｂはソリッドゴムでもよいが、加圧ローラ２２の内部に加熱源が無い場合は、スポンジゴムを用いてもよい。スポンジゴムの方が、断熱性が高まり定着ベルト２１の熱が奪われにくくなるのでより望ましい。
【００７９】
加熱装置２３は、加熱源として第一ハロゲンヒータ２３Ａと第二ハロゲンヒータ２３Ｂとを備えており、両端部が定着装置２０の側板に固定されている。各ハロゲンヒータ２３Ａ，２３Ｂは、プリンタ本体に配置された電源部により出力制御されて発熱する。出力制御は、温度検知センサによる定着ベルト２１の表面温度の検知結果に基づいて行われる。
【００８０】
このようなハロゲンヒータ２３Ａ，２３Ｂの出力制御によって、定着ベルト２１の温度（定着温度）を所望の温度に維持できるようになっている。また、定着ベルト２１を加熱する加熱源として、ハロゲンヒータ以外に、ＩＨ（電磁誘導）、抵抗発熱体、またはカーボンヒータ等を用いてもよい。
【００８１】
ニップ形成部材２４は、加圧ローラ２２の加圧力を受けて定着ニップ部Ｎの形状を決める部材である。このため、定着ベルト２１の軸方向または加圧ローラ２２の軸方向に平行して配置され、ニップ形成部材２４の支持部材として用いられるステー２５によって固定支持されている。
【００８２】
このように、ニップ形成部材２４をステー２５で支持することにより、加圧ローラ２２による圧力でニップ形成部材２４に撓みが生じるのを抑制し、加圧ローラ２２の軸方向に平行して均一なニップ幅が得られるようにしている。
【００８３】
なお、ステー２５は、ニップ形成部材２４の撓み防止機能を満足するために、ステンレス鋼や鉄等の機械的強度が高い金属材料で形成することが望ましいが、ステー２５を樹脂製とすることも可能である。
【００８４】
また、本実施形態では、定着ニップ部Ｎの形状が平坦状であるが、凹形状やその他の形状としてもよい。定着ニップ部Ｎの形状が凹形状の場合は、用紙Ｐの先端の排出方向が加圧ローラ２２寄りになり、分離性が向上するので、ジャムの発生が抑制される。
【００８５】
また、ニップ形成部材２４の表面には、潤滑剤が含浸された潤滑剤含浸部材たる摺動部材２４ａが貼り付けられている。摺動部材２４ａは、耐熱性を有する微細なフッ素系繊維を織り込んだシートで、潤滑剤を毛細管現象によって吸収させている。
【００８６】
潤滑剤としては、例えばシリコーンオイルが挙げられ、耐熱性及び耐久性及び潤滑能力としては望ましく、使用条件により様々な粘度のものを選択することが可能なため良い。その他の潤滑剤としては、フッ素系・シリコン系のグリスも挙げられる。
【００８７】
反射部材２６は、反射面として表面を利用できるアルミニウムやステンレス鋼などが用いられてステー２５と加熱装置２３との間に配設されている。ここで、反射部材２６は、加熱装置２３によって直接加熱されるため、高融点の金属材料等で形成されることが望ましい。
【００８８】
ステー２５と加熱装置２３との間に反射部材２６が配設されていることにより、加熱装置のハロゲンヒータ２３Ａ，２３Ｂからステー２５側に放射された光が定着ベルト２１へ反射される。これにより、定着ベルト２１に照射される光量を多くすることができ、定着ベルト２１を効率良く加熱することが可能となる。
【００８９】
また、ハロゲンヒータ２３Ａ，２３Ｂからの輻射熱がステー２５等に伝達されるのを抑制することができるので、省エネルギー化も図れる。また、本実施形態のような反射部材２６を設けずに、ステー２５の加熱装置２３側の面を研磨または塗装などの鏡面処理をし、反射面を形成してもよい。
【００９０】
ただし、ステー２５はその強度を確保するために形状や材質が自由に選択できない。このため、本実施形態のように反射部材２６を別途設けた方が、形状や材質の選択の自由度が広がり、反射部材２６とステー２５はそれぞれの機能に特化することができる。
【００９１】
また、反射部材２６は加熱装置２３とステー２５との間に設けられることにより、加熱装置２３に対する反射部材２６の位置が近くなるので、定着ベルト２１を効率良く加熱することが可能となる。
【００９２】
定着ベルト２１と加熱装置２３との間には、ハロゲンヒータ２３Ａ，２３Ｂから定着ベルト２１の非通紙領域への輻射熱を遮蔽する遮蔽位置と、この遮蔽位置から退避した退避位置との間で移動可能な遮蔽部材２９が配設されている。これにより、特に、連続通紙時の定着ベルト２１の非通紙領域における過剰な温度上昇を抑制することができ、定着ベルト２１の熱による劣化や損傷を防止することができる。
【００９３】
なお、遮蔽部材２９の遮蔽位置と退避位置との間での移動動作は、制御部によって制御された駆動手段である駆動装置が有する駆動源からの駆動力によって行われる。
【００９４】
遮蔽部材２９は、厚さ０．１［ｍｍ］〜１．０［ｍｍ］の金属板を、定着ベルト２１の内周面に沿った円弧状の断面形状に形成して構成されている。また、遮蔽部材２９は、定着ベルト２１の周方向に移動可能となっている。
【００９５】
図４（ａ）は、フランジ部材４５１の斜視図であり、（ｂ）は、フランジ部材４５１の正面図である。
定着ベルト２１の幅方向両端部に配設されるフランジ部材４５１は、同一の形状である。図４に示すように、フランジ部材４５１は、定着装置２０の側板に取り付けられる取り付け部４５１ｂと、定着ベルト２１の内周面の一端と対向するガイド部４５１ａとを備えている。
【００９６】
ガイド部４５１ａは、加圧ローラ側が切り欠かれた略円筒形状をしている。ガイド部４５１ａは、定着ベルト２１の内径とほぼ同等の外径を有し、定着ベルト２１の両端から内側に所定量入り込む長さを有している。換言すれば、ガイド部４５１ａは、円周ガイド凸部としてなり、定着ベルト２１の端部に挿入されて摺動することで、定着ベルト２１の断面形状を円形状に維持する。
【００９７】
取り付け部４５１ｂのガイド部４５１ａの内側に対応する箇所には、貫通孔４５１ｃが設けられており、ステー２５や加熱装置２３は、この貫通孔４５１ｃを貫通して定着装置２０の側板に取り付けられる。
【００９８】
本実施形態に係る定着装置２０は、さらなる省エネ性及びファーストプリントタイムなどの向上のために、構成に種々の工夫が施されている。
【００９９】
具体的には、加熱装置２３によって定着ベルト２１を定着ニップ部Ｎ以外の箇所において直接加熱できるようにしている（直接加熱方式）。また、定着ベルト２１の低熱容量化を図るために、定着ベルト２１は薄くかつ小径化されている。
【０１００】
また、本実施形態では定着ベルト２１の内周面と接触する部材は、フランジ部材４５１のガイド部４５１ａとニップ形成部材２４のみであり、これら部材以外に定着ベルト２１の内周面と接触して回転をガイドするようなベルトガイドは存在しない。
【０１０１】
以下、図３を参照しつつ、本実施形態に係る定着装置２０の基本動作について説明する。
【０１０２】
プリンタ本体の電源スイッチが投入されると、ハロゲンヒータ２３に電力が供給されると共に、加圧ローラ２２が図３中の時計回りに回転駆動を開始される。これにより、定着ベルト２１は、加圧ローラ２２との摩擦力によって、図３中の反時計回りに従動回転する。
【０１０３】
その後、上述の画像形成工程により未定着のトナー画像Ｔが担持された用紙Ｐが、圧接状態にある定着ベルト２１及び加圧ローラ２２の定着ニップ部Ｎに送入される。そして、加熱装置２３によって加熱された定着ベルト２１による熱と、定着ベルト２１と加圧ローラ２２との間の加圧力とによって、用紙Ｐの表面にトナー画像Ｔが定着される。
【０１０４】
トナー画像Ｔが定着された用紙Ｐは、定着ニップ部Ｎから搬出され、搬出された用紙Ｐは、上述のように、排紙ローラ対７（図１参照）によって機外に排出され、排紙トレイ１７（図１参照）にストックされる。
【０１０５】
次に、定着ベルト２１と加熱装置２３との間に配設される遮蔽部材２９について、具体的に説明する。
【０１０６】
図５に遮蔽部材２９の平面図を示す。図５に示すように、遮蔽部材２９は、両端にそれぞれ３つの段差部を有する形状に形成された遮蔽部４８を有している。すなわち、各遮蔽部４８は、第一遮蔽領域部４８ａと、第二遮蔽領域部４８ｂと、第三遮蔽領域部４８ｃとで構成されている。また、各遮蔽部４８の第三遮蔽領域部４８ｃ同士は、連結部４９を介して連結されている。
【０１０７】
本実施形態では、第三遮蔽領域部４８ｃ間の幅Ｗ１が、小サイズ通紙幅に対応しており、第二遮蔽領域部４８ｂ間の幅Ｗ２が、中サイズ通紙幅に対応しており、第一遮蔽領域部４８ａ間の幅Ｗ３が、大サイズ通紙幅に対応している。本実施形態では、小サイズ通紙幅は、「はがき」の幅に対応しており、中サイズ通紙幅が、「Ｂ４サイズ」の幅に対応している。また、大サイズ通紙幅が、「Ａ３サイズ」の幅に対応している。なお、通紙幅に対応する用紙サイズの例はこれに限定されるものではない。
【０１０８】
図６は、各ハロゲンヒータ２３Ａ，２３Ｂの発熱部を示す図である。
本実施形態では、ハロゲンヒータ２３Ａ，２３Ｂの発熱部の長さや配設位置を異ならせている。すなわち、図６に示すように、第一ハロゲンヒータ２３Ａの発熱部２３１ａは、長手方向中央部側に配設され、第二ハロゲンヒータ２３Ｂの発熱部２３１ｂは、長手方向両端部側にそれぞれ配設されている。第一ハロゲンヒータ２３Ａの発熱部は、上記小サイズ通紙幅Ｗ１以上、上記中サイズ通紙幅Ｗ２未満の範囲に対応している。また、第二ハロゲンヒータ２３Ｂの発熱部は、中サイズ用紙の通紙幅Ｗ２以上で、大サイズ通紙幅Ｗ３を含む範囲に配設されている。
【０１０９】
図７は、小サイズの用紙を通紙するときの定着装置２０の斜視図である。図８は、小サイズの用紙を通紙するときの定着装置２０の断面図である。
【０１１０】
用紙幅が、「はがき」の幅以下の小サイズ用紙に対応する第三遮蔽領域部４８ｃ間の幅Ｗ１は、第一ハロゲンヒータ２３Ａの発熱部の長さよりも小さい範囲となっている。そのため、小サイズ用紙を通紙する場合、第一ハロゲンヒータ２３Ａのみを発熱させる。しかし、この場合、第一ハロゲンヒータ２３Ａで加熱される定着ベルト２１の範囲は、小サイズ通紙幅Ｗ１を超えてしまうので、遮蔽部材２９を小サイズ通紙幅に対応する遮蔽位置に移動させる。
【０１１１】
すなわち、図８に示すように、第三遮蔽領域部４８ｃまでが加熱装置２３の直接加熱領域Ｍに位置する小サイズの用紙に対応する遮蔽位置に遮蔽部材を移動させる。これにより、小サイズ通紙幅Ｗ１の端部近傍から外側の範囲を第一、第二および第三遮蔽領域部により遮蔽することができる。よって、少なくとも、定着ベルト２１の非通紙領域が第一、第二および第三遮蔽領域部により遮蔽された部分を通過するときは、ハロゲンヒータにより直接加熱されることがない。その結果、遮蔽部材２９で遮蔽しない場合に比べて、非通紙領域において定着ベルト２１の温度上昇を抑えることができる。
【０１１２】
次に、用紙幅が、「はがき」の幅を超え、「Ｂ４サイズ」の幅以下の中サイズ用紙を通紙する場合は、第一ハロゲンヒータ２３Ａと第二ハロゲンヒータ２３Ｂとの両方を発熱させる。この場合、第一ハロゲンヒータ２３Ａと第二ハロゲンヒータ２３Ｂとを発熱させると、定着ベルト２１の加熱される範囲が中サイズ通紙幅Ｗ２を超えてしまう。
【０１１３】
そのため、中サイズ用紙を通紙する際には、遮蔽部材２９を中サイズ通紙幅に対応する遮蔽位置へ移動させる。すなわち、第三遮蔽領域部４８ｃを、直接加熱領域Ｍから退避させ、第一遮蔽領域部４８ａと第二遮蔽領域部４８ｂとを加熱領域Ｍに位置させる。これにより、中サイズ通紙幅Ｗ２の端部近傍から外側の範囲を、第一遮蔽領域部４８ａや第二遮蔽領域部４８ｂとによって遮蔽することができる。これにより、少なくとも、定着ベルト２１の非通紙領域が、第二遮蔽領域部４８ｂや第一遮蔽領域部４８ａにより遮蔽された部分を通過するときは、ハロゲンヒータにより直接加熱されることがない。これにより、遮蔽部材２９で遮蔽しない場合に比べて、非通紙領域において定着ベルト２１の温度上昇を抑えることができる。
【０１１４】
図９は、大サイズの用紙を通紙するときの定着装置２０の斜視図である。図１０は、大サイズの用紙を通紙するときの定着装置２０の断面図である。
【０１１５】
「Ｂ４サイズ」の幅を超える大サイズ用紙を通紙する場合は、ハロゲンヒータ２３Ａとハロゲンヒータ２３Ｂとの両方を発熱させる。この場合、ハロゲンヒータ２３Ａとハロゲンヒータ２３Ｂとを発熱させると、定着ベルト２１の加熱される範囲が大サイズ用紙の通紙幅Ｗ３を超えてしまう。
【０１１６】
そのため、大サイズ用紙を通紙する際には、遮蔽部材２９を大サイズ用紙用の遮蔽位置へ移動させる。すなわち、図１０に示すように、第二遮蔽領域部４８ｂ及び第三遮蔽領域部４８ｃを直接加熱領域Ｍから退避させ、第一遮蔽領域部４８ａのみを、直接加熱領域Ｍに位置するように移動させる。
【０１１７】
これにより、少なくとも、定着ベルト２１の非通紙領域が、第一遮蔽領域部４８ａにより遮蔽された部分を通過するときは、ハロゲンヒータにより直接加熱されることがない。その結果、遮蔽部材２９で遮蔽しない場合に比べて、非通紙領域において定着ベルト２１の温度上昇を抑えることができる。
【０１１８】
また、Ａ３ノビなど、本プリンタが通紙可能な最大サイズの用紙を通紙する際は、第三遮蔽領域部４８ｃも直接加熱領域Ｍから退避させる。
【０１１９】
なお、図７、図８、図９及び図１０では、加圧ローラ２２などの図示を適宜省略している。
【０１２０】
このように、遮蔽部材２９を設けることで、定着ベルト幅方向でハロゲンヒータ２３Ａ，２３Ｂよりも幅の狭い用紙を連続通紙した場合でも、定着ベルト２１の非通紙領域が過昇温状態になるのを抑制することができる。これにより、過昇温領域をキャンセルするために、生産性を落とす等の制御を行う必要がない。
【０１２１】
次に、本実施形態の特徴点について説明する。
図１１は、ニップ形成部材２４周辺を加圧ローラ側から見た概略図である。
なお、図中矢印Ｃは、定着ベルト２１に表面移動方向を示している。
図１１に示すように、摺動部材２４ａの長手方向（定着ベルトの幅方向）長さＬ１は、フランジ部材４５１のガイド部４５１ａ間の長さよりも短く、ガイド部４５１ａの端部と、ニップ形成部材２４の長手方向端部の間には、所定の隙間Ｌ５を有している。本実施形態では、定着ベルト２１の幅Ｌ４：３６０ｍｍ、摺動部材２４ａの長手方向（定着ベルトの幅方向）長さＬ１：３４４ｍｍ、ガイド部４５１ａの端部と、ニップ形成部材２４の長手方向端部と隙間Ｌ５：５ｍｍである。
【０１２２】
ニップ形成部材２４の表面には、シリコーンオイルなどの潤滑剤２０１が含浸された潤滑剤含浸部材たる摺動部材２４ａが貼り付けられている。摺動部材２４ａが、定着ベルト２１を介して、加圧ローラ２２により押圧されることにより、摺動部材２４ａに含浸している潤滑剤２０１が搾り出されて定着ベルト２１の内周面に付着する。この定着ベルト２１の内周面に付着した潤滑剤２０１は、定着ベルト２１に付着したまま周回して、ニップ形成部材２４の定着ベルト回転方向上流側端部に堰き止められた後、図中矢印Ｂに示すように摺動部材２４ａに吸収される。
【０１２３】
しかしながら、ニップ形成部材２４の定着ベルト回転方向上流側端部に堰き止められているときに、潤滑剤が定着ベルト２１の端部に向かって移動する場合がある。そして、その潤滑剤が、摺動部材２４ａの長手方向端部よりも外側にまで移動すると、その潤滑剤２０１は、摺動部材２４ａに吸収されなくなる。その結果、摺動部材２４ａが含有する潤滑剤が徐々に減っていき、潤滑剤２０１による潤滑効果が失われてしまい、定着装置のトルクが上昇してしまう。
【０１２４】
また、摺動部材２４ａの長手方向端部よりも外側にまで移動した潤滑剤２０１は、ニップ形成部材２４による堰き止めがなくなり、再び、定着ベルトとともに周回することになる。そして、摺動部材２４ａの長手方向端部よりも外側にまで移動した潤滑剤２０１が、定着ベルト２１の端部に向かって移動し、フランジ部材４５１のガイド部４５１ａに付着し、最終的には、定着ベルトの端部から漏れ出すおそれがあった。
【０１２５】
そこで、本実施形態において、潤滑剤２０１の定着ベルト端部側への移動を規制する規制部材２８を設けた。規制部材２８は、ニップ形成部材２４の定着ベルト２１の回転方向上流側端面の、長手方向両端に設けられている。規制部材２８は、フッ素ゴムなどの耐熱弾性材により構成されており、摺動部材２４ａよりも潤滑剤２０１の吸収性が低い材料で構成されている。
【０１２６】
なお、「吸収性」とは、液体状態の潤滑剤の吸収しやすさの事であり、材料の「吸収性」は、例えば、「ＪＩＳ  Ｌ  １９０７  繊維製品の吸水性試験方法」などにあるように、滴下法、バイレック法、沈降法などの試験方法を用いて評価することができる。例えば、バイレック法を用いた「吸収性」の評価は、次のようにして行う。すなわち、吸収体（試料）を用いて、縦方向２００ｍｍ×横方向２５ｍｍの大きさの試験片を作製し、この試験片を垂直になるように上端を固定する。次に、下端を、オイルなどの液体の潤滑剤に浸漬させ、１０分間放置後の液体が吸収体内を上昇した高さＨｍｍを測定する。この上昇高さＨｍｍが高いほど、潤滑剤の「吸収性」が高いといえる。
なお、材料の「吸収性」の評価は、上記方法に限られず、適宜選定することができる。
【０１２７】
一方の規制部材２８の内側端部から、他方の規制部材２８の内側端部までの距離Ｌ２は、本プリンタが通紙可能な最大用紙幅よりも長くなっている。本実施形態では、上記Ｌ２が、３２２ｍｍとなっている。また、一方の規制部材２８の外側端部から、他方の規制部材２８の外側端部までの距離Ｌ３は、本実施形態では、３５０ｍｍであり、摺動部材２４ａの長手方向長さＬ１：３４４ｍｍよりも長くなっている。すなわち、規制部材２８の外側端部は、摺動部材２４ａの長手方向端部よりも外側に位置しているのである。
【０１２８】
図１２は、図１１の破線Ｄで囲う部分の拡大断面図である。
規制部材２８には、ニップ形成部材２４に取り付けるための取り付け部２８ａを備えている。取り付け部２８ａは、円柱状の貫通部２８１ｂと、抜け止め部２８１ａとで構成されている。抜け止め部２８１ａは、貫通部２８１ｂの先端に設けられており、先端側から貫通部２８１ａに向かうにつれて大径となるような、断面台形形状となっている。
【０１２９】
ニップ形成部材２４は、中空の箱型形状であり、ニップ形成部材の定着ベルトの回転方向上流側の壁面の長手方向端部付近には、内径が貫通部２８１ｂの外径より僅かに大きい貫通孔２４１が形成されている。また、摺動部材２４ａのニップ形成部材の定着ベルトの回転方向上流側の壁面に貼り付けられた部分の長手方向端部付近にも、貫通孔２４１ａがニップ形成部材２４の貫通孔２４１と重なるように設けられている。
【０１３０】
規制部材２８の取り付けは、まず、抜け止め部２８１ａの先端を、摺動部材２４ａの貫通孔２４１ａに押し当てながら、規制部材２８を摺動部材２４ａ側押し込む。すると、抜け止め部２８１ａが圧縮変形して摺動部材２４ａの貫通孔２４１ａに挿入される。さらに、規制部材２８を押し込んで、抜け止め部２８１が、ニップ形成部材２４の貫通孔２４１を抜け出ると、抜け止め部２８１が元の形状に戻る。これにより、規制部材２８が、ニップ形成部材２４に取り付けられる。
【０１３１】
規制部材２８は、外側端部が、内側端部よりも定着ベルトの回転方向上流側に位置するような、略Ｌ字状の形状をしている。具体的には規制部材の内側端部の厚みが、Ｔ１であり、この内側端部から外側に向けて厚みが徐々に増加し、外側端部の厚みがＴ２となっている。また、規制部材２８の定着ベルトの上流側の面が、外側から内側に向けて、定着ベルト回転方向下流側に位置するような緩やかなＲ形状の傾斜面２８ｂとなっている。本実施形態では、Ｒ形状の傾斜面としているが、直線状の傾斜面でもよい。
【０１３２】
先の図１１に示すように、本実施形態では、ニップ形成部材２４の長手方向両端に規制部材２８を設けている。よって、ニップ形成部材２４の上流側端部で堰き止められた潤滑剤２０１が、摺動部材２４ａの長手方向端部よりも外側に移動するのを、規制することができる。これにより、ニップ形成部材２４の上流側端部で堰き止められた潤滑剤２０１を、摺動部材２４ａに吸収させることができる。その結果、摺動部材２４ａから定着ベルト２１に付着した潤滑剤２０１が摺動部材２４ａに戻るという循環サイクルを成立させることができる。よって、経時に亘り、摺動部材２４ａが含有する潤滑剤の減少を抑制することができ、経時に亘り、潤滑剤２０１による潤滑効果を維持することができる。その結果、経時に亘り定着装置のトルク上昇を抑えることができる。
【０１３３】
また、規制部材２８の定着ベルトの上流側の面を、外側から内側に向けて、定着ベルト回転方向下流側に位置するような緩やかなＲ形状の傾斜面２８ｂとしている。これにより、摺動部材２４ａから定着ベルト２１の内周面の規制部材２８の内側端部より外側に付着した潤滑剤をこの傾斜面２８ｂで、内側に案内することができる。また、ニップ形成部材の上流側端部に堰き止められるまでの間に、規制部材２８の内側端部より外側へ移動した潤滑剤２０１を、この傾斜面２８ｂで、内側に案内することができる。これにより、規制部材２８の内側端部より外側の潤滑剤２０１を、摺動部材２４ａに接触させることができ、摺動部材２４ａに再度、吸収させることができる。
【０１３４】
規制部材２８の内側端部よりも外側には、潤滑剤２０１が、摺動部材２４ａと接触しないため、摺動部材２４ａの規制部材２８の内側端部よりも外側の領域では、潤滑剤２０１が吸収されない。用紙が定着ニップ部Ｎを通過するときは、通紙領域においては、紙の厚み分、定着ベルト２１とニップ形成部材との接触圧は、非通紙領域に比べて高くなり、通紙領域の摩擦抵抗が大きくなる。
【０１３５】
そのため、本実施形態では、規制部材２８を、本プリンタが通紙可能な最大用紙幅よりも外側に設けている。これにより、摺動部材２４ａの通紙領域では、定着ベルト２１に付着した潤滑剤２０１が吸収され、少なくとも摺動部材２４ａの通紙領域においては、十分な潤滑剤２０１を保持することができる。これにより、効果的に潤滑剤の効果を維持することができる。
【０１３６】
また、本実施形態では、規制部材２８をフッ素ゴムで構成し、潤滑剤２０１が規制部材２８に吸収されないようにしている。規制部材２８を、潤滑剤２０１が吸収されるような材質で構成した場合、規制部材２８が潤滑剤２０１を溜め込んでしまい、摺動部材２４ａが含有する潤滑剤２０１が減少し、良好な潤滑効果が得られないおそれがある。また、規制部材２８に吸収された潤滑剤２０１が、規制部材２８の外側端部から漏れ出すおそれがある。この外側端部から漏れ出た潤滑剤は、外側へ移動し、最終的には、定着ベルト２１の端部から漏れ出すおそれがある。
【０１３７】
規制部材２８をフッ素ゴムで構成し、潤滑剤２０１が規制部材２８に吸収されないようにすることで、摺動部材２４ａが含有する潤滑剤の減少を抑制でき、かつ、規制部材２８の外側端部から潤滑剤２０１が漏れ出す事態が生じるのを防止することができる。
【０１３８】
また、規制部材２８をフッ素ゴムなどの弾性部材とすることで、規制部材２８を弾性変形させて定着ベルトに接触させることができる。これにより、定着ベルトの位置変動に対して、規制部材２８を追随させることができ、規制部材２８を、定着ベルト２１の内周面に隙間なく接触させることができる。その結果、定着ベルト２１に付着した潤滑剤２０１の外側への移動を良好に規制することができる。また、傾斜面２８ｂにより、定着ベルト２１の内周面に付着した潤滑剤２０１を内側に戻すことができる。
【０１３９】
また、図１２に示すように、規制部材２８の傾斜面２８ｂの外側端部が、摺動部材２４ａの長手方向端部よりも外側に位置している。これにより、摺動部材２４ａの長手方向端部付近から定着ベルト２１に付着した潤滑剤２０１を、規制部材２８の傾斜面２８ｂで捉えることができ、潤滑剤２０１を、傾斜面２８ｂで摺動部材２４ａに接触するように内側へ戻すことができる。また、摺動部材２４ａの長手方向端部よりも外側へ移動した潤滑剤も傾斜面２８ｂで捉えることができ、潤滑剤２０１を、傾斜面２８ｂで摺動部材２４ａに接触するように内側へ戻すことができる。
【０１４０】
本実施形態においては、規制部材２８を摺動部材２４ａの長手方向端部に設けているが、フランジ部材のガイド部４５１ａの先端よりも内側であればよい。これは、潤滑剤が、ガイド部４５１ａに付着すると、その潤滑剤２０１を規制部材２８では、内側に戻すことができないからである。ガイド部４５１ａの先端よりも内側に規制部材を設けることで、定着ベルトに付着した潤滑剤を、内側に戻すことができ、摺動部材２４ａに再供給させることができる。また、規制部材２８の内側先端は、摺動部材２４ａの長手方向端部よりも内側にあればよい。これにより、規制部材２８で規制した潤滑剤を、摺動部材２４ａへ戻すことができ、定着ベルト２１に付着した潤滑剤２０１を摺動部材２４ａに再供給することができる。
【０１４１】
さらに、本実施形態では、規制部材２８は、ニップ形成部材に対して定着ベルトの回転方向上流側から隣接する位置に設けているが、定着ベルトの回転軌道上の任意に位置でよい。ニップ形成部材に対して定着ベルトの回転方向上流側から隣接する位置でなくても、定着ベルトに付着した潤滑剤の外側への移動を規制して、潤滑剤がガイド部に付着するのを抑制することができる。さらに、規制部材で摺動部材２４ａの長手方向端部よりも内側に戻すことで、定着ベルトに付着した潤滑剤を、摺動部材の定着ベルト回転方向上流側の端部に接触させることができ、摺動部材に再供給することができる。
【０１４２】
しかし、潤滑剤２０１が摺動部材２４ａの上記上流側端部に堰き止められているとき、潤滑剤が、外側へ移動しやすい。よって、規制部材２８を、ニップ形成部材に対して定着ベルトの回転方向上流側から隣接する位置に設けることにより、効果的に潤滑剤２０１の移動を規制でき、望ましい。
【０１４３】
次に、本実施形態の変形例について説明する。
図１３は、変形例の定着装置におけるニップ形成部材２４周辺を加圧ローラ側から見た概略図であり、図１４は、図１３の破線Ｄで囲う部分の拡大断面図である。
図１３に示すように、この変形例１においては、規制部材２８の間に潤滑剤保持部材である潤滑剤回収部材２７を設けたものである。潤滑剤回収部材２７は、超吸収性ポリマーなど、摺動部材２４ａよりも潤滑剤２０１の吸収性が高い素材で構成されている。
【０１４４】
図１４に示すように、潤滑剤回収部材２７は、その両端を、取り付けビス２７ａによりニップ形成部材２４に取り付けられている。このように、潤滑剤回収部材２７を設けることで、潤滑剤２０１を、摺動部材２４ａと潤滑剤回収部材２７とで保持することができ、保持できる潤滑剤の量を増やすことができる。これにより、経時に亘り、潤滑剤による潤滑効果を維持することができる。
【０１４５】
摺動部材２４ａから定着ベルト２１の内周面に付着し、付着したまま定着ベルトとともにニップ形成部材２４の定着ベルト回転方向上流側へ移動してきた潤滑剤は、潤滑剤回収部材２７に堰き止められた後、潤滑剤回収部材２７に吸収され回収される。上述したように、潤滑剤回収部材２７は、摺動部材２４ａよりも潤滑剤２０１の吸収性が高い素材で構成されているため、堰き止められた潤滑剤をすばやく吸収することができる。
【０１４６】
潤滑剤回収部材２７に吸収された潤滑剤２０１は、ベルトの内周面に付着して、ベルトの回転により摺動部材２４ａに運ばれて摺動部材２４ａに供給される。また、潤滑剤回収部材２７の摺動部材２４ａとの接触部分を通じて潤滑剤回収部材２７の潤滑剤が摺動部材２４ａに供給される。
【０１４７】
また、潤滑剤回収部材２７よりも外側には、規制部材２８が設けられているので、潤滑剤回収部材２７の長手方向端部から、潤滑剤２０１が漏れ出すのを規制部材２８により規制することができる。また、規制部材２８の外側端部は、潤滑剤回収部材２７よりも定着ベルト回転方向上流側に位置するので、潤滑剤回収部材２７により堰き止められた潤滑剤が、定着ベルトの端部へ移動するのを規制することができる。
【０１４８】
また、定着ベルト２１の潤滑剤回収部材２７よりも外側に付着している潤滑剤は、規制部材の傾斜面２８ｂに案内されて、潤滑剤回収部材２７に戻される。これにより、定着ベルトに付着した潤滑剤を潤滑剤回収部材２７で回収することができる。
【０１４９】
以上に説明したものは一例であり、以下の態様毎に特有の効果を奏する。
（態様１）
回転可能な無端状の定着ベルト２１と、定着ベルト２１の外周面と当接する加圧ローラ２２などの加圧部材と、定着ベルト２１の内周側に配置され定着ベルト２１を介して加圧部材と当接しニップ部を形成するニップ形成部材２４と、定着ベルト２１の内周面に接触するようにニップ形成部材２４の表面に設けられ、潤滑剤が含浸された摺動部材２４ａなどの潤滑剤含浸部材と、定着ベルト２１の幅方向両端部の内周面と接触し、定着ベルト２１の回転をガイドする一対のフランジ部材４５１などのガイド部材とを備えた定着装置２０において、各ガイド部材よりも定着ベルト２１の幅方向の内側に、定着ベルト２１の内周面に付着した潤滑剤の幅方向の外側への移動を規制する規制部材２８を設けた。
これによれば、ガイド部材より内側に設けた規制部材により、定着ベルトに付着した潤滑剤の幅方向外側への移動を規制するので、定着ベルトに付着した潤滑剤がガイド部材に付着するのを抑制することができる。これにより、ガイド部材から潤滑剤が垂れ落ちて、装置を汚してしまうのを抑制することができる。
【０１５０】
（態様２）
（態様１）において、規制部材２８を、ニップ形成部材２４に対し、定着ベルト２１の回転方向上流側から隣接するように配置した。
これによれば、ニップ形成部材２４により堰き止められた潤滑剤２０１の定着ベルト２１の端部への移動を規制することができる。これにより、ニップ形成部材２４により堰き止められた潤滑剤が、定着ベルト２１の端部から漏れ出すのを防止することができる。
【０１５１】
（態様３）
（態様２）において、規制部材２８よりも前記幅方向の内側に、定着ベルト２１に付着した潤滑剤２０１を吸収して保持する潤滑剤回収部材２７などの潤滑剤保持部材を設けた。
これによれば、変形例で説明したように、潤滑剤２０１を、潤滑剤回収部材２７などの潤滑剤保持部材と、摺動部材２４ａなどの潤滑剤含浸部材とで保持することができ、保持できる潤滑剤の量を増やすことができる。これにより、経時に亘り、潤滑剤による潤滑効果を維持することができる。
また、潤滑剤保持部材が、規制部材２８よりも定着ベルトの幅方向の内側に設けられているので、潤滑剤保持部材の上記幅方向端部から漏れ出した潤滑剤２０１が、定着ベルト２１の端部へ移動するのを規制部材２８で規制することができる。
【０１５２】
（態様４）
（態様３）において、潤滑剤回収部材２７などの潤滑剤保持部材は、摺動部材２４ａなどの潤滑剤含浸部材よりも潤滑剤の吸収性が高い素材で構成されている。
これにより、潤滑剤回収部材２７などの潤滑剤保持部材により堰き止められた潤滑剤をすばやく吸収することができる。
【０１５３】
（態様５）
（態様１）乃至（態様４）いずれかにおいて、規制部材２８は、定着ベルト内周面に付着した潤滑剤を、摺動部材２４ａなどの潤滑剤含浸部材の前記幅方向の端部よりも内側に戻す傾斜面２８ｂなどの戻し部を有する。
これにより、定着ベルトの、摺動部材２４ａなどの潤滑剤含浸部材の定着ベルトの幅方向における端部よりも外側に付着した潤滑剤を、規制部材２８の戻し部により、潤滑剤含浸部材の上記幅方向の端部よりも内側に戻すことができる。これにより、定着ベルト２１の潤滑剤含浸部材の上記幅方向の端部よりも外側に付着した潤滑剤を、潤滑剤含浸部材の定着ベルトの回転方向上流側端部に接触させることができ、潤滑剤含浸部材に戻すことができる。その結果、経時に亘り潤滑剤含浸部材に潤滑剤を含浸させておくことができ、経時に亘りに潤滑剤の潤滑効果を維持することができる。
【０１５４】
（態様６）
（態様５）において、前記戻し部は、前記規制部材２８の前記幅方向の内側端部から前記幅方向の外側に向うにつれて、前記定着ベルトの回転方向上流側に位置するように傾斜する傾斜面である。
これによれば、定着ベルト２１の内周面に付着した潤滑剤が規制部材の傾斜面２８ｂに接触すると、潤滑剤が傾斜面２８ｂに沿って移動し、定着ベルトの幅方向内側へ移動させることができる。
【０１５５】
（態様７）
（態様５）または（態様６）において、傾斜面２８ｂなどの戻し部の前記幅方向の外側端部が、摺動部材２４ａなどの潤滑剤含浸部材の前記幅方向の端部よりも外側に位置する。
これによれば、定着ベルトの内周面の、摺動部材２４ａなどの潤滑剤含浸部材の前記幅方向の端部よりも外側に付着した潤滑剤を、戻し部で潤滑剤含浸部材の上記幅方向の端部よりも内側に戻すことができる。
【０１５６】
（態様８）
（態様５）乃至（態様７）いずれかにおいて、規制部材２８の前記幅方向の内側端部が、摺動部材２４ａなどの潤滑剤含浸部材の前記幅方向の端部よりも内側に位置する。
これによれば、傾斜面２８ｂなどの戻し部で摺動部材２４ａなどの潤滑剤含浸部材の上記幅方向の端部よりも内側に潤滑剤を戻すことができる。
【０１５７】
（態様９）
（態様１）乃至（態様８）いずれかにおいて、定着ニップ部Ｎなどのニップ部を通過し得る用紙Ｐなどの記録材のうち、定着ベルトの幅方向における長さが最大の記録材が前記ニップ部を通過する前記幅方向の領域よりも前記幅方向の外側に、前記規制部材２８を設けた。
これによれば、少なくとも摺動部材２４ａなど潤滑剤含浸部材の記録材通紙領域では、定着ベルト２１に付着した潤滑剤２０１が接触し、潤滑剤含浸部材に回収される。これにより、少なくとも潤滑剤含浸部材の通紙領域に潤滑剤を保持することができる。通紙時において、定着ベルトとの接触圧が高くなるのは、潤滑剤含浸部材の通紙領域であり、その領域に潤滑剤が保持されることで、潤滑剤よる潤滑効果を効果的に得ることができる。
【０１５８】
（態様１０）
（態様１）乃至（態様９）いずれかにおいて、規制部材２８を弾性部材で構成した。
これによれば、規制部材２８を弾性変形させて定着ベルト２１の内周面に隙間なく接触させることができ、定着ベルトに付着した潤滑剤の定着ベルト端部への移動を良好に規制することができる。
【０１５９】
（態様１１）
感光体ドラムなどの像担持体と、像担持体上にトナー像を形成するトナー像形成手段（本実施形態では、帯電装置、現像装置、光書込装置などで構成）と、トナー像を前記像担持体上から用紙Ｐなどの記録材上に転写する転写装置７１などの転写手段と、記録材上に転写されたトナー像を該記録材に定着させる定着装置２０などの定着手段とを備えた画像形成装置において、定着手段として、（態様１）乃至（態様１０）いずれかの定着装置を用いる。
これによれば、装置内が、定着装置から漏れ出した潤滑剤により汚れるのを抑制することができる。
【符号の説明】
【０１６０】
６  光書込装置
２０  定着装置
２１  定着ベルト
２２  加圧ローラ
２３  加熱装置
２４  ニップ形成部材
２４ａ  摺動部材
２７  潤滑剤回収部材
２８  規制部材
２８ｂ  傾斜面
３０  帯電装置
４０  現像装置
７１  転写装置
１００  画像形成装置
１２０  感光体ドラム
２０１  潤滑剤
４５１  フランジ部材
４５１ａ  ガイド部
【先行技術文献】
【特許文献】
【０１６１】
【特許文献１】特開２０１４−１７４３５８号公報
【特許文献２】特開２００４−２８６９２２号公報
【特許文献３】特開２０１０−７９３０９号公報
【特許文献４】特開２００７−３３４２０５号公報
【図１】
2017111333.tif 000003
【図２】
2017111333.tif 000004
【図３】
2017111333.tif 000005
【図４】
2017111333.tif 000006
【図５】
2017111333.tif 000007
【図６】
2017111333.tif 000008
【図７】
2017111333.tif 000009
【図８】
2017111333.tif 000010
【図９】
2017111333.tif 000011
【図１０】
2017111333.tif 000012
【図１１】
2017111333.tif 000013
【図１２】
2017111333.tif 000014
【図１３】
2017111333.tif 000015
【図１４】
2017111333.tif 000016